【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
長方形の液晶パネルによって構成される基板を長辺または短辺が搬送方向に沿った状態にて搬送する第１基板搬送機構と、
上記基板を短辺または長辺が搬送方向に沿った状態にて搬送する第２基板搬送機構とを備える基板搬送機構において、
基板反転部の反転動作により、上記第１基板搬送機構にて搬送された上記基板を反転させるとともに、上記基板の長辺または短辺の搬送方向に対する配置を変更して上記第２基板搬送機構に配置するように構成されている反転機構を備えている
ことを特徴とする基板搬送機構における反転機構。
【請求項２】
請求項１において、
上記反転機構が、駆動装置の回転駆動により、上記基板の搬送方向に対して一定の傾きで配設された反転軸回りに回転して反転動作する基板反転部を備えている
ことを特徴とする基板搬送機構における反転機構。
【請求項３】
請求項２において、
上記反転軸の上記傾きが、４５°である
ことを特徴とする基板搬送機構における反転機構。
【請求項４】
請求項３において、
上記基板反転部の一端が、上記反転軸に対して４５°の傾きで配設されていることを特徴とする基板搬送機構における反転機構。
【請求項５】
請求項２ないし請求項４のいずれかにおいて、
上記反転機構の上記反転軸と上記第１基板搬送機構にて搬送された上記基板および上記第２基板搬送機構に上記基板反転部によって反転して配置された上記基板が、同一平面に配置される
ことを特徴とする基板搬送機構における反転機構。
【請求項６】
請求項２ないし請求項５のいずれかにおいて、
上記反転機構が、上記反転軸の昇降、傾きおよび位置の調整を可能にする手段を備えている
ことを特徴とする基板搬送機構における反転機構。
【請求項７】
請求項１ないし請求項６のいずれかにおいて、
上記第１基板搬送機構の端部の幅方向の両側に２個の反転機構が配設され、上記第１基板搬送機構の両側に、上記第１基板搬送機構によって搬送された上記基板が交互に搬送される２個の基板載置部が配設され、上記２個の基板載置部に搬送された上記基板が、上記２個の反転機構によって交互に反転されるとともに、配置が変更され上記第２基板搬送機構に配置するように構成されている
ことを特徴とする基板搬送機構における反転機構。
【請求項８】
長方形の液晶パネルによって構成される基板を長辺または短辺が搬送方向に沿った状態にて搬送する第１基板搬送機構と、
上記第１基板搬送機構における上記基板の下面に偏光フィルムを貼合する第１貼合部と、
上記基板を短辺または長辺が搬送方向に沿った状態にて搬送する第２基板搬送機構と、
上記第２基板搬送機構における上記基板の下面に偏光フィルムを貼合する第２貼合部とを含む偏光フィルムの貼合装置において、
基板反転部の反転動作により、上記第１基板搬送機構にて搬送された上記基板を反転させるとともに、上記基板の長辺または短辺の搬送方向に対する配置を変更して上記第２基板搬送機構に配置するように構成されている反転機構を備えている
ことを特徴とする偏光フィルムの貼合装置における反転機構。
【請求項９】
長方形の液晶パネルによって構成される基板を長辺または短辺が搬送方向に沿った状態にて搬送する第１基板搬送機構と、
上記第１基板搬送機構における上記基板の下面に偏光フィルムを貼合する第１貼合部と、
上記基板を短辺または長辺が搬送方向に沿った状態にて搬送する第２基板搬送機構と、
上記第２基板搬送機構における上記基板の下面に偏光フィルムを貼合する第２貼合部と、
上記第１基板搬送機構にて搬送された上記基板を保持する保持部を備え、上記保持部を保持状態または保持が解かれる状態に制御する保持機構とを含む偏光フィルムの貼合装置において、
駆動装置の回転駆動に基づく、上記保持機構の上記保持部に一端が連結された基板反転部の反転動作により、上記第１基板搬送機構にて搬送され上記保持部に保持された上記基板を反転させるとともに、上記基板の長辺または短辺の搬送方向に対する配置を変更して上記第２基板搬送機構に配置するように構成されている反転機構を備えている
ことを特徴とする偏光フィルムの貼合装置における反転機構。
【請求項１０】
請求項８または請求項９において、
上記基板反転部の反転動作の回転中心となる反転軸が、上記基板の搬送方向に対して４５°の傾きで配設されている
ことを特徴とする偏光フィルムの貼合装置における反転機構。
【請求項１１】
請求項１０において、
上記基板反転部の一端が、上記反転軸に対して４５°の傾きで配設されていることを特徴とする偏光フィルムの貼合装置における反転機構。
【請求項１２】
請求項１１において、
上記反転軸は、上記第１基板搬送機構における上記基板の下面と上記第２基板搬送機構における反転して配置された上記基板の下面とが配置される平面に対して平行な面内に位置する
ことを特徴とする偏光フィルムの貼合装置における反転機構。
【請求項１３】
請求項１０ないし請求項１２のいずれかにおいて、
上記反転機構の上記反転軸と上記第１基板搬送機構にて搬送された上記基板および上記第２基板搬送機構に上記基板反転部によって反転して配置された上記基板が、同一平面に配置される
ことを特徴とする偏光フィルムの貼合装置における反転機構。
【請求項１４】
請求項１０ないし請求項１３のいずれかにおいて、
上記反転機構が、上記反転軸の昇降、傾きおよび位置の調整を可能にする手段を備えている
ことを特徴とする偏光フィルムの貼合装置における反転機構。
【請求項１５】
請求項８ないし請求項１４のいずれかにおいて、
上記第１基板搬送機構の端部の幅方向の両側に２個の反転機構が配設され、上記第１基板搬送機構の両側に、上記第１基板搬送機構によって搬送された上記基板が交互に搬送される２個の基板載置部が配設され、上記２個の基板載置部に搬送された上記基板が、上記２個の反転機構によって交互に反転されるとともに、配置が変更され上記第２基板搬送機構に配置されるように構成されている
ことを特徴とする偏光フィルムの貼合装置における反転機構。
【手続補正２】
【補正対象書類名】明細書
【補正対象項目名】００１３
【補正方法】変更
【補正の内容】
【００１３】
請求項１に記載の本発明（第１発明）の基板搬送機構における反転機構は、
長方形の液晶パネルによって構成される基板を長辺または短辺が搬送方向に沿った状態にて搬送する第１基板搬送機構と、
上記基板を短辺または長辺が搬送方向に沿った状態にて搬送する第２基板搬送機構とを備える基板搬送機構において、
基板反転部の反転動作により、上記第１基板搬送機構にて搬送された上記基板を反転させるとともに、上記基板の長辺または短辺の搬送方向に対する配置を変更して上記第２基板搬送機構に配置するように構成されている反転機構を備えている
ものである。
【手続補正３】
【補正対象書類名】明細書
【補正対象項目名】００１７
【補正方法】変更
【補正の内容】
【００１７】
請求項５に記載の本発明（第５発明）の基板搬送機構における反転機構は、
上記第２発明ないし第４発明のいずれかにおいて、
上記反転機構の上記反転軸と上記第１基板搬送機構にて搬送された上記基板および上記第２基板搬送機構に上記基板反転部によって反転して配置された上記基板が、同一平面に配置される
ものである。
【手続補正４】
【補正対象書類名】明細書
【補正対象項目名】００１８
【補正方法】変更
【補正の内容】
【００１８】
請求項６に記載の本発明（第６発明）の基板搬送機構における反転機構は、
上記第２発明ないし第５発明のいずれかにおいて、
上記反転機構が、上記反転軸の昇降、傾きおよび位置の調整を可能にする手段を備えている
ものである。
【手続補正５】
【補正対象書類名】明細書
【補正対象項目名】００１９
【補正方法】変更
【補正の内容】
【００１９】
請求項７に記載の本発明（第７発明）の基板搬送機構における反転機構は、
上記第１発明ないし第６発明のいずれかにおいて、
上記第１基板搬送機構の端部の幅方向の両側に２個の反転機構が配設され、上記第１基板搬送機構の両側に、上記第１基板搬送機構によって搬送された上記基板が交互に搬送される２個の基板載置部が配設され、上記２個の基板載置部に搬送された上記基板が、上記２個の反転機構によって交互に反転されるとともに、配置が変更され上記第２基板搬送機構に配置するように構成されている
ものである。
【手続補正６】
【補正対象書類名】明細書
【補正対象項目名】００２０
【補正方法】変更
【補正の内容】
【００２０】
請求項８に記載の本発明（第８発明）の偏光フィルムの貼合装置における反転機構は、
長方形の液晶パネルによって構成される基板を長辺または短辺が搬送方向に沿った状態にて搬送する第１基板搬送機構と、
上記第１基板搬送機構における上記基板の下面に偏光フィルムを貼合する第１貼合部と、
上記基板を短辺または長辺が搬送方向に沿った状態にて搬送する第２基板搬送機構と、
上記第２基板搬送機構における上記基板の下面に偏光フィルムを貼合する第２貼合部とを含む偏光フィルムの貼合装置において、
基板反転部の反転動作により、上記第１基板搬送機構にて搬送された上記基板を反転させるとともに、上記基板の長辺または短辺の搬送方向に対する配置を変更して上記第２基板搬送機構に配置するように構成されている反転機構を備えている
ものである。
【手続補正７】
【補正対象書類名】明細書
【補正対象項目名】００２１
【補正方法】変更
【補正の内容】
【００２１】
請求項９に記載の本発明（第９発明）の偏光フィルムの貼合装置における反転機構は、
長方形の液晶パネルによって構成される基板を長辺または短辺が搬送方向に沿った状態にて搬送する第１基板搬送機構と、
上記第１基板搬送機構における上記基板の下面に偏光フィルムを貼合する第１貼合部と、
上記基板を短辺または長辺が搬送方向に沿った状態にて搬送する第２基板搬送機構と、
上記第２基板搬送機構における上記基板の下面に偏光フィルムを貼合する第２貼合部と、
上記第１基板搬送機構にて搬送された上記基板を保持する保持部を備え、上記保持部を保持状態または保持が解かれる状態に制御する保持機構とを含む偏光フィルムの貼合装置において、
駆動装置の回転駆動に基づく、上記保持機構の上記保持部に一端が連結された基板反転部の反転動作により、上記第１基板搬送機構にて搬送され上記保持部に保持された上記基板を反転させるとともに、上記基板の長辺または短辺の搬送方向に対する配置を変更して上記第２基板搬送機構に配置するように構成されている反転機構を備えている
ものである。
【手続補正８】
【補正対象書類名】明細書
【補正対象項目名】００２２
【補正方法】変更
【補正の内容】
【００２２】
請求項１０に記載の本発明（第１０発明）の偏光フィルムの貼合装置における反転機構は、
第８発明または第９発明において、
上記基板反転部の反転動作の回転中心となる反転軸が、上記基板の搬送方向に対して４５°の傾きで配設されている
ものである。
【手続補正９】
【補正対象書類名】明細書
【補正対象項目名】００２４
【補正方法】変更
【補正の内容】
【００２４】
請求項１２に記載の本発明（第１２発明）の偏光フィルムの貼合装置における反転機構は、
第１１発明において、
上記反転軸は、上記第１基板搬送機構における上記基板の下面と上記第２基板搬送機構における反転して配置された上記基板の下面とが配置される平面に対して平行な面内に位置する
ものである。
【手続補正１０】
【補正対象書類名】明細書
【補正対象項目名】００２５
【補正方法】変更
【補正の内容】
【００２５】
請求項１３に記載の本発明（第１３発明）の偏光フィルムの貼合装置における反転機構は、
第１０発明ないし第１２発明のいずれかにおいて、
上記反転機構の上記反転軸と上記第１基板搬送機構にて搬送された上記基板および上記第２基板搬送機構に上記基板反転部によって反転して配置された上記基板が、同一平面に配置される
ものである。
【手続補正１１】
【補正対象書類名】明細書
【補正対象項目名】００２６
【補正方法】変更
【補正の内容】
【００２６】
請求項１４に記載の本発明（第１４発明）の偏光フィルムの貼合装置における反転機構は、
第１０発明ないし第１３発明のいずれかにおいて、
上記反転機構が、上記反転軸の昇降、傾きおよび位置の調整を可能にする手段を備えている
ものである。
【手続補正１２】
【補正対象書類名】明細書
【補正対象項目名】００２７
【補正方法】変更
【補正の内容】
【００２７】
請求項１５に記載の本発明（第１５発明）の偏光フィルムの貼合装置における反転機構は、
第８発明ないし第１４発明のいずれかにおいて、
上記第１基板搬送機構の端部の幅方向の両側に２個の反転機構が配設され、上記第１基板搬送機構の両側に、上記第１基板搬送機構によって搬送された上記基板が交互に搬送される２個の基板載置部が配設され、上記２個の基板載置部に搬送された上記基板が、上記２個の反転機構によって交互に反転されるとともに、配置が変更され上記第２基板搬送機構に配置されるように構成されている
ものである。
【手続補正１３】
【補正対象書類名】明細書
【補正対象項目名】００４７
【補正方法】変更
【補正の内容】
【００４７】
上記構成より成る本発明の第１発明の基板搬送機構における反転機構は、上記基板反転部の反転動作により、長方形の液晶パネルによって構成される基板を長辺または短辺が搬送方向に沿った状態にて搬送する上記第１基板搬送機構にて搬送された上記基板を反転させるとともに、上記基板の長辺または短辺の搬送方向に対する配置を変更して上記基板を短辺または長辺が搬送方向に沿った状態にて搬送する第２基板搬送機構に配置するものであるので、上記基板反転部の一の反転動作により、上記基板を反転させるとともに、上記基板の搬送方向に沿った短辺および長辺の方向を変更することが出来るとともに、タクトタイムを短くすることが出来るという効果を奏する。
【手続補正１４】
【補正対象書類名】明細書
【補正対象項目名】００５１
【補正方法】変更
【補正の内容】
【００５１】
上記構成より成る本発明の第５発明の基板搬送機構における反転機構は、上記第２発明ないし第４発明のいずれかにおいて、上記反転機構の上記反転軸と上記第１基板搬送機構にて搬送された上記基板および上記第２基板搬送機構に上記基板反転部によって反転して配置された上記基板が、同一平面に配置されるものであるので、上記基板反転部の一の反転動作により、上記基板を反転させるとともに、上記基板の搬送方向に沿った短辺および長辺の方向を変更することが出来るとともに、タクトタイムを短くすることが出来るという効果を奏する。
【手続補正１５】
【補正対象書類名】明細書
【補正対象項目名】００５２
【補正方法】変更
【補正の内容】
【００５２】
上記構成より成る本発明の第６発明の基板搬送機構における反転機構は、上記第２発明ないし第５発明のいずれかにおいて、上記反転機構が備えている上記手段が、上記反転軸の昇降、傾きおよび位置の調整を可能にするので、上記基板反転部の反転動作における調整および制御を可能にするという効果を奏する。
【手続補正１６】
【補正対象書類名】明細書
【補正対象項目名】００５３
【補正方法】変更
【補正の内容】
【００５３】
上記構成より成る本発明の第７発明の基板搬送機構における反転機構は、上記第１発明ないし第６発明のいずれかにおいて、上記第１基板搬送機構の端部の幅方向の両側に２個の反転機構が配設され、上記第１基板搬送機構の両側に、上記第１基板搬送機構によって搬送された上記基板が交互に搬送される２個の基板載置部が配設され、上記２個の基板載置部に搬送された上記基板が、上記２個の反転機構によって交互に反転されるとともに、配置が変更され上記第２基板搬送機構に配置するものであるので、上記基板の搬送におけるタクトタイムを半減して、上記基板の搬送処理を２倍にすることが出来るという効果を奏する。
【手続補正１７】
【補正対象書類名】明細書
【補正対象項目名】００５４
【補正方法】変更
【補正の内容】
【００５４】
上記構成より成る本発明の第８発明の偏光フィルムの貼合装置における反転機構は、偏光フィルムの貼合装置において、基板反転部の反転動作により、長方形の液晶パネルによって構成される基板を長辺または短辺が搬送方向に沿った状態にて上記第１基板搬送機構にて搬送され、上記第１貼合部において下面に偏光フィルムが貼合された上記基板を反転させるとともに、上記基板の長辺または短辺の搬送方向に対する配置を変更して上記第２基板搬送機構に配置されるため、上記基板を上記第２基板搬送機構によって短辺または長辺が搬送方向に沿った状態にて搬送して、上記第２貼合部において、上記基板の下面に偏光フィルムが貼合されることを実現するという効果を奏する。
【手続補正１８】
【補正対象書類名】明細書
【補正対象項目名】００５５
【補正方法】変更
【補正の内容】
【００５５】
上記構成より成る本発明の第９発明の偏光フィルムの貼合装置における反転機構は、偏光フィルムの貼合装置において、駆動装置の回転駆動に基づく、上記保持機構の保持状態または保持が解かれる状態に制御される上記保持部に一端が連結された基板反転部の反転動作により、上記第１基板搬送機構にて搬送され上記保持部に保持された上記基板を反転させるとともに、上記基板の長辺または短辺の搬送方向に対する配置を変更して第２基板搬送機構に配置されることにより、上記基板の搬送および偏光フィルムの貼合を可能にするので、上記液晶パネルによって構成される基板の上下の面にそれぞれ偏光フィルムが貼合されることを実現するという効果を奏する。
【手続補正１９】
【補正対象書類名】明細書
【補正対象項目名】００５６
【補正方法】変更
【補正の内容】
【００５６】
上記構成より成る本発明の第１０発明の偏光フィルムの貼合装置における反転機構は、第８発明または第９発明において、上記基板の搬送方向に対して４５°の傾きで配設されている上記基板反転部の反転動作の回転中心となる反転軸回りに回転する上記基板反転部の一の反転動作により、上記基板を反転させるとともに、上記基板の搬送方向に沿った短辺および長辺の方向を変更することが出来るとともに、タクトタイムを短くすることが出来るという効果を奏する。
【手続補正２０】
【補正対象書類名】明細書
【補正対象項目名】００５８
【補正方法】変更
【補正の内容】
【００５８】
上記構成より成る本発明の第１２発明の偏光フィルムの貼合装置における反転機構は、第１１発明において、上記反転軸は、上記第１基板搬送機構における上記基板の下面と上記第２基板搬送機構における反転して配置された上記基板の下面とが配置される平面に対して平行な面内に位置するものであるので、上記基板反転部の一の反転動作により、上記基板を反転させるとともに、上記基板の搬送方向に沿った短辺および長辺の方向を変更することが出来るとともに、タクトタイムを短くすることが出来るという効果を奏する。
【手続補正２１】
【補正対象書類名】明細書
【補正対象項目名】００５９
【補正方法】変更
【補正の内容】
【００５９】
上記構成より成る本発明の第１３発明の偏光フィルムの貼合装置における反転機構は、第１０発明ないし第１２発明のいずれかにおいて、上記反転機構の上記反転軸と上記第１基板搬送機構にて搬送された上記基板および上記第２基板搬送機構に上記基板反転部によって反転して配置された上記基板が、同一平面に配置されるものであるので、上記基板反転部の一の反転動作により、上記基板を反転させるとともに、上記基板の搬送方向に沿った短辺および長辺の方向を変更することが出来るとともに、タクトタイムを短くすることが出来るという効果を奏する。
【手続補正２２】
【補正対象書類名】明細書
【補正対象項目名】００６０
【補正方法】変更
【補正の内容】
【００６０】
上記構成より成る本発明の第１４発明の偏光フィルムの貼合装置における反転機構は、第１０発明ないし第１３発明のいずれかにおいて、上記反転機構が備えている上記手段が、上記反転軸の昇降、傾きおよび位置の調整を可能にするので、上記基板反転部の反転動作における調整および制御を可能にするという効果を奏する。
【手続補正２３】
【補正対象書類名】明細書
【補正対象項目名】００６１
【補正方法】変更
【補正の内容】
【００６１】
上記構成より成る本発明の第１５発明の偏光フィルムの貼合装置における反転機構は、第８発明ないし第１４発明のいずれかにおいて、上記第１基板搬送機構の端部の幅方向の両側に２個の反転機構が配設され、上記第１基板搬送機構の両側に、上記第１基板搬送機構によって搬送された上記基板が交互に搬送される２個の基板載置部が配設され、上記２個の基板載置部に搬送された上記基板が、上記２個の反転機構によって交互に反転されるとともに、配置が変更され上記第２基板搬送機構に配置するものであるので、上記基板の搬送におけるタクトタイムを半減して、上記基板の搬送処理を２倍にすることが出来るという効果を奏する。